(57)【特許請求の範囲】
【請求項１】
一端と、他端と、該一端と該他端とを連結する側面とを有し、少なくとも該側面の該一端近傍部には複数の凹凸部、又は粗面部を有し、フェライト又は非磁性体セラミックからなる軸芯部と、
樹脂からなり、少なくとも該軸芯部の一端近傍部において該凹凸部又は該粗面部に嵌合する嵌合面を有し、該軸芯部の中心軸から離間する方向へ延出し該側面を環装するように設けられた鍔部とを備え、
該軸芯部の一端の輪郭形状は該軸芯部の他端の輪郭形状と略同一形状をなし、該軸芯部の一端と該鍔部の一面とは同一面をなすことを特徴とするコイル部品用コア部材。
【請求項２】
請求項１記載のコイル部品用コア部材を有するコイル部品であって、
該鍔部に配置された端子電極と、
少なくとも一部が該軸芯部に配置された導体とを備え、
該導体の一端部、他端部がそれぞれ該端子電極をなすか又は該端子電極に電気的に接続されることを特徴とするコイル部品。
【請求項３】
該軸芯部の他端は他端面を有し、該他端には該他端面よりも広い面積を有する平面板が該軸芯部と別体で固定されて設けられていることを特徴とする請求項２記載のコイル部品。
【請求項４】
該軸芯部の該側面の該他端近傍部には第２凹凸部又は第２粗面部を有し、
該軸芯部の他端近傍において該第２凹凸部又は該第２粗面部に嵌合する第２嵌合面を有し、該軸芯部の中心軸から離間する方向へ延出し該側面を環装するように設けられた第２鍔部を備え、該軸芯部の他端と該第２鍔部の一面とは同一面をなすことを特徴とする請求項２又は請求項３記載のコイル部品。
【請求項５】
該軸芯部の該他端において溝が形成され、該導体の一部は該溝内に配置されていることを特徴とする請求項２乃至請求項４のいずれか一記載のコイル部品。
【請求項６】
該導体は軸芯部の側面に配置されて巻回されていることを特徴とする請求項５記載のコイル部品。
【請求項７】
該軸芯部の一端と他端とを結ぶ方向における高さは１ｍｍ以下であることを特徴とする請求項２乃至請求項５のいずれか一記載のコイル部品。
【発明の詳細な説明】
【技術分野】
【０００１】
本発明はコイル部品用コア部材及びコイル部品に関し、特にチョークコイルや高周波コイルなどに用いられるコイル部品用コア部材及び当該コイル部品用コア部材を有するコイル部品に関する。
【背景技術】
【０００２】
コイル部品としては、一対の鍔部と当該一対の鍔部を連結する巻芯部とを有するドラムコアを備える構成のものが知られている。ドラムコアの巻芯部には、絶縁被覆された銅線からなる巻線が巻回されている。鍔部には端子電極が設けられており、端子電極には巻線の一端又は他端が電気的に接続されて継線されている。このようなコイル部品は、例えば、特開平９−２７０３１６号公報（特許文献１）に記載されている。
【特許文献１】特開平９−２７０３１６号公報
【発明の開示】
【発明が解決しようとする課題】
【０００３】
携帯電話を代表とする携帯電子機器においては、薄型化、小型化が製品に付加価値を生み、これがデザイン戦略の柱となっている。携帯電子機器の薄型化や小型化は、携帯電子機器に搭載されるコイル部品等の電子部品の薄型化や小型化が直接影響する。コイル部品の中には、特性の要求やコストメリットによりチップ化にならないものがある。チョークコイルや高周波コイルなどのコイル部品もその一つである。これらのコイル部品のコアとしては、前述のドラムコアが用いられているが、ドラムコアは、巻芯部と一対の鍔部とを有するため、一対の鍔部を結ぶ方向におけるコイル部品の高さがどうしても高くなるという問題が生じていた。
【０００４】
ここで、一対の鍔部を結ぶ方向におけるコイル部品の高さを低くするために、同方向における巻芯部の長さを短くすることが考えられるが、このように短くすると、コイル部品のＬ値を調整可能な範囲が狭まり、Ｌ値を所望の値に調整することが困難になる。Ｌ値を調整するためには、巻芯部に巻回された巻線の巻回数を調整したり、巻線の太さを調整したり、巻芯部に巻回された巻線間のギャップを調整したりすることで対応できるが、一対の鍔部を結ぶ方向における巻芯部の長さが短くなると、これらの調整をすることができる範囲が小さくなってしまうからである。従って、一対の鍔部を結ぶ方向における巻芯部の長さを短くすることは実際には困難である。
【０００５】
次に、一対の鍔部を結ぶ方向における鍔部の厚さを薄くすることにより、同方向におけるコイル部品の高さを低くすることが考えられる。しかし、巻芯部及び鍔部は磁性フェライトや、非磁性フェライトなどのセラミックからなるため、鍔部を薄くすると脆くなり、割れてしまうという問題が生ずることが考えられる。
【０００６】
そこで、本発明は、低背化を図ることができ、Ｌ値の調整が容易で、強度を向上させたコイル部品用コア部材及び当該コイル部品用コア部材を有するコイル部品を提供することを目的とする。
【課題を解決するための手段】
【０００７】
上記目的を達成するために本発明は、一端と、他端と、該一端と該他端とを連結する側面とを有し、少なくとも該側面の該一端近傍部には複数の凹凸部、又は粗面部を有し、フェライト又は非磁性体セラミックからなる軸芯部と、樹脂からなり、少なくとも該軸芯部の一端近傍部において該凹凸部又は該粗面部に嵌合する嵌合面を有し、該軸芯部の中心軸から離間する方向へ延出し該側面を環装するように設けられた鍔部とを備え、該軸芯部の一端の輪郭形状は該軸芯部の他端の輪郭形状と略同一形状をなし、該軸芯部の一端と該鍔部の一面とは同一面をなすコイル部品用コア部材を提供している。
【０００８】
鍔部は樹脂からなるため、軸芯部の一端と他端とを結ぶ方向における鍔部の厚さを薄くした場合であっても鍔部が割れにくく、コア部材の強度向上を図ることができる。従って、即ち、同方向におけるコア部材の高さを低くして低背化を図り、且つ強度向上を図ることができるコア部材とすることができる。しかも、コア部材の同方向における高さを低くしても、同方向において軸芯部における導体を配置可能な部分を短くせずに済み、Ｌ値の調整を困難とせずに済み調整が容易である。更に、同方向におけるコア部材の高さを軸芯部の高さと一致させることで低背化（薄型化）を図ることができる。
【０００９】
また、軸芯部は、少なくとも周面の一端近傍部に凹凸部又は粗面部を有し、鍔部は、少なくとも軸芯部の一端近傍部において凹凸部又は粗面部に嵌合する嵌合面を有するため、軸芯部の一端の輪郭形状を軸芯部の他端の輪郭形状と略同一形状として、且つ鍔部が軸芯部から外れにくい構成とすることができる。
【００１０】
また、本発明は、上記コイル部品用コア部材を有するコイル部品であって、該鍔部に配置された端子電極と、少なくとも一部が該軸芯部に配置された導体とを備え、該導体の一端部、他端部がそれぞれ該端子電極をなすか又は該端子電極に電気的に接続されるコイル部品を提供している。
【００１１】
請求項１記載のコイル部品用コア部材を有し、鍔部に配置された端子電極と、少なくとも一部が軸芯部に配置された導体とを備え、導体の一端部、他端部がそれぞれ端子電極をなすか又は端子電極に電気的に接続されるため、軸芯部の一端と他端とを結ぶ方向における軸芯部の高さを伸ばしたり縮めたりすることなく、導体の巻数（長さ）を調整可能な範囲を広く確保することができ、Ｌ値の調整が容易なコイル部品を提供することができる。
【００１２】
また、該軸芯部の他端は他端面を有し、該他端には該他端面よりも広い面積を有する平面板が該軸芯部と別体で固定されて設けられていることが好ましい。
【００１３】
軸芯部の他端は他端面を有し、他端には他端面よりも広い面積を有する平面板が軸芯部と別体で固定されて設けられているため、実装基板に実装する際、吸着ノズルにより当該平面板に対して吸着することによりコイル部品を吸着することができる。
【００１４】
また、該軸芯部の該側面の該他端近傍部には第２凹凸部又は第２粗面部を有し、該軸芯部の他端近傍において該第２凹凸部又は該第２粗面部に嵌合する第２嵌合面を有し、該軸芯部の中心軸から離間する方向へ延出し該側面を環装するように設けられた第２鍔部を備え、該軸芯部の他端と該第２鍔部の一面とは同一面をなすことが好ましい。
【００１５】
軸芯部の周面の他端近傍部には第２凹凸部又は第２粗面部を有し、軸芯部の他端近傍において第２凹凸部又は第２粗面部に嵌合する第２嵌合面を有し、該軸芯部の中心軸から離間する方向へ延出し該側面を環装するように設けられた第２鍔部を備え、軸芯部の他端と第２鍔部の一面とは同一面をなすため、実装基板に実装する際、吸着ノズルにより軸芯部の他端及び第２鍔部の一面に対して吸着することによりコイル部品を吸着することができる。
【００１６】
また、該軸芯部の該他端において溝が形成され、該導体の一部は該溝内に配置されていることが好ましい。
【００１７】
軸芯部の他端において溝が形成され、導体の一部は溝内に配置されているため、溝内において導体の一部を支持することができ、軸芯の長さを縮めることなく、導体の巻数（長さ）を調整することができる。このためＬ値の調整可能な範囲を広くすることができる。
【００１８】
また、該導体は軸芯部の側面に配置されて巻回されていることが好ましい。また、該軸芯部の一端と他端とを結ぶ方向における高さは１ｍｍ以下であることが好ましい。軸芯部の一端と他端とを結ぶ方向における高さは１ｍｍ以下であるため、十分に低背化を図ったコイル部品とすることができる。
【発明の効果】
【００１９】
以上により、本発明は、低背化を図ることができ、Ｌ値の調整が容易で、強度を向上させたコイル部品用コア部材及び当該コイル部品用コア部材を有するコイル部品を提供することができる。
【発明を実施するための最良の形態】
【００２０】
本発明の第１の実施の形態によるコイル部品用コア部材について図１乃至図４を参照しながら説明する。図１に示されるようにコイル部品用コア部材１は、具体的にはチョークコイルや高周波コイル等の、ワイヤ線を有するコイル部品を構成するコア部材であり、コア１０と鍔部２１とを備えている。
【００２１】
コア１０は磁性体（例えば、フェライト等）からなり、図１に示されるように、より具体的には巻芯部１１からなる。巻芯部１１は略四角柱形状をなしており、従って、巻芯部１１の図１の下端たる一端の輪郭形状は、巻芯部１１の図１の上端たる他端（他端面１１Ａ）の輪郭形状と略同一形状の長方形状となっている。巻芯部１１の軸方向の一端には一端面１１Ｂを有し鍔部２１が設けられ、軸方向の他端には他端面１１Ａを有している。巻芯部１１の表面であって巻芯部１１の一端と他端との間には、これら一端と他端とを連結するようにして側面１１Ｃを有している。巻芯部１１は軸芯部に相当する。
【００２２】
鍔部２１は樹脂からなり、巻芯部１１の図１の下端たる一端近傍部に設けられており、当該一端近傍部において側面１１Ｃを環装するようにして、巻芯部１１の中心軸から離間する方向へ延出して設けられており、横０．６ｍｍ、縦０．３ｍｍの略長方形状の板状をなす。即ち、鍔部２１の略中央部には、図４（ａ）に示されるように、巻芯部１１の一端の輪郭形状と一致した形状の長方形状をした貫通孔２１ａが形成されており、貫通孔２１ａには巻芯部１１の一端近傍部分が嵌合している。巻芯部１１の一端面１１Ｂと、巻芯部１１の一端寄りの鍔部２１の一面２１Ａとは、図３に示されるように面一（同一面）になっている。
【００２３】
なお図３では、説明の便宜上左右方向における巻芯部１１の幅を極端に短く示している。また、図４（ｂ）、後述の図７（ｂ）、図１０、図１３（ｂ）では、説明の便宜上、巻線３０を省略して図示している。また、図１６（ｂ）では、説明の便宜上巻線３０の一部を省略して図示している。
【００２４】
一の側面１１Ｃ（図１）と当該一の側面に対向する図示せぬ他の側面とには、粗面加工が施されており、それぞれの全面が粗面になっている。貫通孔２１ａを画成する鍔部２１の部分であって当該粗面に対向する部分は嵌合面２１Ｃをなし、図３に示されるように、嵌合面２１Ｃは粗面に嵌合することにより巻芯部１１の一端近傍部分に固定されている。このため、巻芯部１１の一端の輪郭形状を巻芯部１１の他端（他端面１１Ａ）の輪郭形状と略同一形状として、且つ鍔部２１が巻芯部１１から外れにくい構成とすることができる。
【００２５】
また、鍔部２１は樹脂からなるため、巻芯部１１の一端と他端とを結ぶ方向、即ち図３の上下方向における鍔部２１の厚さを薄くした場合であっても鍔部２１が割れにくく、コア部材１の強度向上を図ることができる。従って、即ち、同方向におけるコア部材１の高さを低くして低背化を図り、且つ強度向上を図ることができるコア部材１とすることができる。
【００２６】
しかも、コア部材１の同方向における高さを低くしても、同方向において巻芯部１１における後述の巻線３０を配置可能な部分を短くせずに済み、Ｌ値の調整を困難とせずに済み調整が容易である。更に、巻芯部１１の一端面１１Ｂと、巻芯部１１の一端寄りの鍔部２１の一面２１Ａとを面一（同一面）とすることにより、巻芯部１１の一端と他端とを結ぶ方向におけるコア部材１の高さを巻芯部１１の高さと一致させて、低背化（薄型化）を図ることができる。
【００２７】
次に、本発明の第２の実施の形態によるコイル部品１０１について図５乃至図７を参照しながら説明する。第２の実施の形態によるコイル部品１０１は、第１の実施の形態によるコイル部品用コア部材１に端子電極２２と巻線３０とが設けられ、コイル部品１０１が構成されたものである。
【００２８】
端子電極２２は、略長方形状をした金属板が図５、図６に示されるように略コの字形状に折曲げられ、略長方形状をなす鍔部２１の一対短辺の略中央位置にそれぞれ１つずつ嵌められて設けられている。
【００２９】
巻線３０としては、例えば周囲を絶縁被覆された銅線が用いられ、その直径は２０μｍ〜８０μｍ程度である。巻線３０の一端部３１は一方の端子電極２２に電気的に接続されて継線されている。図５に示されるように、巻線３０の一端部３１から他端寄りの部分は、巻芯部１１の４つの側面１１Ｃにそれぞれ順に対向するようにして巻芯部１１を時計周りに２周半巻回し、巻線３０の他端部３２は、他方の端子電極２２に電気的に接続されて継線されている。電気的な接続は、より具体的には溶接や半田付け等により行われる。巻線３０は導体に相当する。巻芯部１１の一端と他端とを結ぶ方向、即ち図６の上下方向におけるコア１０の高さは０．３ｍｍであり１ｍｍ以下となっており、十分に低背化を図ったコイル部品１０１となっている。
【００３０】
以上の構成により、巻芯部１１の一端と他端とを結ぶ方向における巻芯部１１の高さを伸ばしたり縮めたりすることなく、巻線３０の巻数（長さ）を調整可能な範囲を広く確保することができ、Ｌ値の調整が容易なコイル部品１０１を提供することができる。
【００３１】
次に、本発明の第３の実施の形態によるコイル部品２０１について図８乃至図１０を参照しながら説明する。第３の実施の形態によるコイル部品２０１は、巻芯部１１の他端に平面板１４が設けられている点において第２の実施の形態とは異なる。これら以外の点については、第２の実施の形態と同一であり説明を省略する。第２の実施の形態と同一の部材については同一の符号を用いて説明する。
【００３２】
平面板１４は巻芯部１１の他端に設けられている。平面板１４は、巻芯部１１の他端面１１Ａよりも広い面積を有し、より具体的には鍔部２１の図９に示される下面と略同一の面積を有する長方形状の板状をなしている。平面板１４は、巻芯部１１と別体で構成されて巻芯部１１の他端面１１Ａに貼付けられることで固定されて設けられている。平面板１４は樹脂フィルムからなり、厚さは５０μｍ程度である。この構成により、実装基板に実装する際、図示せぬ吸着ノズルにより当該平面板１４に対して吸着することによりコイル部品２０１を吸着することができる。
【００３３】
次に、本発明の第４の実施の形態によるコイル部品３０１について図１１乃至図１３を参照しながら説明する。第４の実施の形態によるコイル部品３０１は、巻芯部１１の他端にも鍔部２１と同様の第２鍔部１２１が設けられている点において第２の実施の形態とは異なる。これら以外の点については、第２の実施の形態と同一であり説明を省略する。第２の実施の形態と同一の部材については同一の符号を用いて説明する。
【００３４】
第２鍔部１２１は樹脂からなり、巻芯部１１の他端近傍部に設けられており、当該他端近傍部において側面１１Ｃ（図１２）を環装するようにして、巻芯部１１の中心軸から離間する方向へ延出して設けられており、略長方形状の板状をなす。即ち、第２鍔部１２１の略中央部には、図１１に示されるように、巻芯部１１の他端の輪郭形状と一致した形状の長方形状をした貫通孔１２１ａが形成されており、貫通孔１２１ａには巻芯部１１の他端近傍部分が嵌合している。巻芯部１１の他端面１１Ａと、巻芯部１１の他端寄りの第２鍔部１２１の他の面１２１Ａとは、図１３（ｂ）に示されるように面一（同一面）になっている。
【００３５】
前述のように、一の側面１１Ｃと当該一の側面に対向する図示せぬ他の側面とには、粗面加工が施されており、それぞれ全面が粗面になっている。貫通孔１２１ａを画成する第２鍔部１２１の部分であって当該粗面に対向する部分は嵌合面１２１Ｃをなし、嵌合面１２１Ｃは粗面に嵌合することにより巻芯部１１の他端近傍部分に固定されている。
【００３６】
第２鍔部１２１が設けられ、巻芯部１１の他端面１１Ａと、巻芯部１１の他端寄りの第２鍔部１２１の面１２１Ａとは面一（同一面）になっているため、実装基板に実装する際、図示せぬ吸着ノズルにより巻芯部１１の他端面１１Ａ及び第２鍔部１２１の一面に対して吸着することによりコイル部品３０１を吸着することができる。
【００３７】
次に、本発明の第５の実施の形態によるコイル部品４０１について図１４乃至図１６を参照しながら説明する。第５の実施の形態によるコイル部品４０１は、巻芯部１１の他端面１１Ａに溝１１ａが形成されている点、巻線３０の巻き方が異なる点において第２の実施の形態とは異なる。これら以外の点については、第２の実施の形態と同一であり説明を省略する。第２の実施の形態と同一の部材については同一の符号を用いて説明する。
【００３８】
溝１１ａは、図１４に示されるように、略長方形状をなす巻芯部１１の他端面１１Ａを画成する一対の短辺の略中央位置を結ぶように長辺に平行に一方の短辺から他方の短辺へ至るまで形成されており、溝１１ａの深さの値は巻線３０の直径の値よりも大きい。従って、巻線３０の一部を溝１１ａ内に配置させることができるように構成されている。
【００３９】
巻線３０の一端部３１は、図１４、図１５に示されるように、一方の端子電極２２に電気的に接続されて継線されている。一端部３１から他端寄りの部分は、巻芯部１１の４つの側面１１Ｃにそれぞれ順に対向するようにして巻芯部１１を１周弱巻回し、一端部３１に対向する溝１１ａの一端から溝１１ａ内に入る。そして、溝１１ａ内を通り、溝１１ａの他端から溝１１ａ外へ出て、巻芯部１１の側面１１Ｃに巻回されている巻線３０の部分よりも、巻芯部１１の一端と他端とを結ぶ方向において巻芯部１１の他端側、即ち図１５の上側を通り他方の端子電極２２へと延出し、巻線３０の他端部３２は、他方の端子電極２２に電気的に接続されて継線されている。
【００４０】
巻芯部１１の他端において溝１１ａが形成され、巻線３０の一部は溝１１ａ内に配置されているため、溝１１ａ内において巻線３０の一部を支持することができ、鍔部２１を１つのみの構成として巻芯部１１の長さを縮めることなく、低背化を図り且つ巻線３０の巻数（長さ）を調整することができる。このためＬ値の調整可能な範囲を広くすることができる。また、溝１１ａの深さを変えることにより巻芯部１１の一端、即ち図１５に示される巻芯部１１の下端から溝１１ａ内の巻線３０の部分までの距離を変えることができ、このことによりＬ値を調整することができる。
【００４１】
本発明によるコイル部品用コア部材、コイル部品は、上述した実施の形態に限定されず、特許請求の範囲に記載した範囲で種々の変形や改良が可能である。例えば、本実施の形態では、一の側面１１Ｃと当該一の側面に対向する図示せぬ他の側面とには、粗面加工が施されていたが、これに限定されず、例えば、これら以外の側面に粗面加工が施されていてもよく、また一端面１１Ｂ、他端面１１Ａにも粗面加工が施されていてもよい。また、鍔部２１が設けられている部分であって嵌合面２１Ｃに対向する部分、即ち、巻芯部１１の一端近傍部や他端近傍部にのみに粗面加工が施されていてもよい。
【００４２】
また、巻芯部１１の粗面と鍔部２１の嵌合面２１Ｃとが嵌合するように構成されたが、この構成に限定されない。例えば、巻芯部１１の一端近傍部や他端近傍部に凹凸部が設けられ、当該凹凸部に嵌合可能な形状を表面に有する嵌合面を鍔部が有し、凹凸部と嵌合面とが嵌合するようにしてもよい。例えば、巻芯部１１を円柱形状としてその周面の一端近傍部に周方向に沿って溝を形成し、鍔部の貫通孔２１ａを画成する部分に当該溝に係合可能な凸部を設けて、当該凸部を当該溝に係合させて鍔部を巻芯部１１に固定するようにしてもよい。
【００４３】
また、端子電極２２は鍔部２１に設けられ、巻線３０の一端部３１、他端部３２は端子電極２２、２２に継線されたが、これに限定されない。例えば、巻線３０の一端部３１、他端部３２がそのまま端子電極を構成してもよい。また、巻芯部１１の形状は四角柱形状に限定されない。例えば、巻芯部１１の軸方向に垂直に切った断面は円形をなして巻芯部１１が円柱形状をなしてもよい。
【００４４】
また、コイル部品全体を覆うようにして樹脂を設けてモールドするようにしてもよい。また、コア１０は例えばフェライト等からなる磁性体により構成されたが、非磁性体、例えばセラミック等により構成されてもよい。
【００４５】
端子電極２２は、略長方形状をした金属板が略コの字形状に折曲げられて構成されていたが、金属板に限定されない。例えば、めっき電極により構成されてもよい。
【産業上の利用可能性】
【００４６】
本発明は、チョークコイルや高周波コイルなどのコイル部品用コア部材、コイル部品の分野において有用である。
【図面の簡単な説明】
【００４７】
【図１】本発明の第１の実施の形態によるコイル部品用コア部材を示す斜視図。
【図２】本発明の第１の実施の形態によるコイル部品用コア部材を示す正面図。
【図３】本発明の第１の実施の形態によるコイル部品用コア部材を示す要部拡大断面図。
【図４】本発明の第１の実施の形態によるコイル部品を示す図であり、（ａ）は平面図、（ｂ）は側方断面図。
【図５】本発明の第２の実施の形態によるコイル部品を示す斜視図。
【図６】本発明の第２の実施の形態によるコイル部品を示す正面図。
【図７】本発明の第２の実施の形態によるコイル部品を示す図であり、（ａ）は平面図、（ｂ）は側方要部断面図。
【図８】本発明の第３の実施の形態によるコイル部品を示す斜視図。
【図９】本発明の第３の実施の形態によるコイル部品を示す正面図。
【図１０】本発明の第３の実施の形態によるコイル部品を示す側方要部断面図。
【図１１】本発明の第４の実施の形態によるコイル部品を示す斜視図。
【図１２】本発明の第４の実施の形態によるコイル部品を示す正面図。
【図１３】本発明の第４の実施の形態によるコイル部品を示す図であり、（ａ）は平面図、（ｂ）は側方要部断面図。
【図１４】本発明の第５の実施の形態によるコイル部品を示す斜視図。
【図１５】本発明の第５の実施の形態によるコイル部品を示す正面図。
【図１６】本発明の第５の実施の形態によるコイル部品を示す図であり、（ａ）は平面図、（ｂ）は側方要部断面図。
【符号の説明】
【００４８】
１            コイル部品用コア部材
１０          コア
１１          巻芯部
１１Ａ        他端面
１１ａ        溝
１４          平面板
２１          鍔部
２１Ａ        面
２１Ｃ        嵌合面
２２          端子電極
３０          巻線
３１          一端
３２          他端
１０１、２０１、３０１、４０１          コイル部品
１２１        第２鍔部
１２１Ｃ      嵌合面
【図１】
0005099590.tif 000002
【図２】
0005099590.tif 000003
【図３】
0005099590.tif 000004
【図４】
0005099590.tif 000005
【図５】
0005099590.tif 000006
【図６】
0005099590.tif 000007
【図７】
0005099590.tif 000008
【図８】
0005099590.tif 000009
【図９】
0005099590.tif 000010
【図１０】
0005099590.tif 000011
【図１１】
0005099590.tif 000012
【図１２】
0005099590.tif 000013
【図１３】
0005099590.tif 000014
【図１４】
0005099590.tif 000015
【図１５】
0005099590.tif 000016
【図１６】
0005099590.tif 000017